(57)【要約】【課題】操作性を低下させることなく検者が観察像の観察条件を正確に確認することができる眼科用観察装置及びその作動方法を提供する。【解決手段】被検眼に光を入射する照明系と、照明系からの光の入射に応じて被検眼から出射した出射光を接眼レンズまで導く観察系と、を備え、出射光により形成される被検眼の観察像を、接眼レンズを通して複数の観察条件で観察可能な眼科用観察装置において、観察条件に係る照明系及び観察系の少なくとも一方の設定情報を取得する設定情報取得部と、接眼レンズを通して観察像が観察される観察視野領域内に、設定情報取得部が取得した設定情報を表示する設定情報表示部と、を備える。【選択図】図５
2018143433.tif 000002
【特許請求の範囲】
【請求項１】
被検眼に光を入射する照明系と、前記照明系からの光の入射に応じて前記被検眼から出射した出射光を接眼レンズまで導く観察系と、を備え、前記出射光により形成される前記被検眼の観察像を、前記接眼レンズを通して複数の観察条件で観察可能な眼科用観察装置において、
前記観察条件に係る前記照明系及び前記観察系の少なくとも一方の設定情報を取得する設定情報取得部と、
前記接眼レンズを通して前記観察像が観察される観察視野領域内に、前記設定情報取得部が取得した設定情報を表示する設定情報表示部と、
を備える眼科用観察装置。
【請求項２】
前記設定情報表示部は、前記観察系により結像される前記出射光の結像位置から、前記出射光の光軸に対して垂直方向にシフトした位置に設けられている請求項１に記載の眼科用観察装置。
【請求項３】
前記設定情報表示部は、前記出射光の光軸上に設けられ且つ前記出射光を透過する透過型のディスプレイである請求項１に記載の眼科用観察装置。
【請求項４】
前記設定情報表示部は、前記設定情報の画像を前記観察系に向けて出射する画像出射光学系と、前記観察系に設けられ、前記画像出射光学系から出射された前記設定情報の画像を前記接眼レンズまで導く案内光学系と、を備える請求項１に記載の眼科用観察装置。
【請求項５】
前記観察系には、前記観察像の倍率を変更する変倍光学系が設けられており、
前記設定情報には、前記観察像の倍率が含まれる請求項１から４のいずれか１項に記載の眼科用観察装置。
【請求項６】
前記設定情報には、前記観察視野領域内に観察される前記観察像内の観察対象物の少なくとも大きさを示す指標が含まれており、
前記設定情報取得部は、前記観察像の倍率に対応した前記指標を取得する請求項５に記載の眼科用観察装置。
【請求項７】
前記観察対象物が角膜内皮細胞である場合、前記指標は前記角膜内皮細胞の大きさ及び密度を示すスケールである請求項６に記載の眼科用観察装置。
【請求項８】
前記設定情報には、前記照明系内の前記光の光路に挿入されているフィルタと、前記観察系内の前記出射光の光路に挿入されているフィルタとの少なくとも一方が含まれる請求項１から７のいずれか１項に記載の眼科用観察装置。
【請求項９】
前記設定情報には、前記照明系内の前記光の光路に配置されている絞りの絞り径と、前記観察系内の前記出射光の光路に配置されている絞りの絞り径との少なくとも一方が含まれる請求項１から８のいずれか１項に記載の眼科用観察装置。
【請求項１０】
被検眼に光を入射する照明系と、前記照明系からの光の入射に応じて前記被検眼から出射した出射光を接眼レンズまで導く観察系と、を備え、前記出射光により形成される前記被検眼の観察像を、前記接眼レンズを通して複数の観察条件で観察可能な眼科用観察装置の作動方法において、
設定情報取得部が、前記観察条件に係る前記照明系及び前記観察系の少なくとも一方の設定情報を取得する設定情報取得工程と、
設定情報表示部が、前記接眼レンズを通して前記観察像が観察される観察視野領域内に、前記設定情報取得部が取得した設定情報を表示する設定情報表示工程と、
を有する眼科用観察装置の作動方法。
【発明の詳細な説明】
【技術分野】
【０００１】
本発明は、被検眼の観察に用いられる眼科用観察装置及びその作動方法に関する。
【背景技術】
【０００２】
眼科で被検眼の観察に用いられる眼科用観察装置として、例えば細隙灯顕微鏡（スリットランプともいう）が知られている。細隙灯顕微鏡は、細隙光（スリット光ともいう）を用いて被検眼の注目部位の光切片を切り取ることによって注目部位の断面を観察したり、この断面の画像を取得したりするために用いられる。
【０００３】
細隙灯顕微鏡は、照明系と観察系とを備える。照明系は、スリット幅が調整された細隙光を被検眼に入射する。一方、観察系は、細隙光の入射（照明）に応じて被検眼から出射された反射光を接眼部の接眼レンズまで導く。これにより、検者は、被検眼からの反射光に基づき形成される被検眼の観察像を、接眼部（接眼レンズ）を通して両眼で観察することができる。そして、検者は、被検眼の観察像を観察しながら、観察像の倍率を調整したり、照明系及び観察系の少なくとも一方の光路内に各種フィルタを挿入したり、被検眼に入射する細隙光の光量を調整したりなどの各種設定操作を行うことで、複数の観察条件で観察像の観察を行うことができる（特許文献１参照）。
【先行技術文献】
【特許文献】
【０００４】
【特許文献１】特開２０１４−０３３８１２号公報
【発明の概要】
【発明が解決しようとする課題】
【０００５】
しかしながら、上記特許文献１に記載の細隙灯顕微鏡において、検者は、細隙灯顕微鏡の接眼部を通して両眼で被検眼の観察像を観察している。このため、検者は、観察像を確認している最中に細隙灯顕微鏡（照明系及び観察系）の現在の観察条件を確認する場合、接眼部から両眼を離して操作部等を直視する必要が生じる。このため、細隙灯顕微鏡の操作性が著しく低下してしまう。なお、接眼部を通して観察される観察像から検者が現在の観察条件を判断することも考えられるが、この場合、検者が誤った判断を行う可能性があり、その結果、検者が設定操作を誤るなどのヒューマンエラーの要因となる。
【０００６】
本発明はこのような事情に鑑みてなされたものであり、操作性を低下させることなく検者が観察像の観察条件を正確に確認することができる眼科用観察装置及びその作動方法を提供することを目的とする。
【課題を解決するための手段】
【０００７】
本発明の目的を達成するための眼科用観察装置は、被検眼に光を入射する照明系と、照明系からの光の入射に応じて被検眼から出射した出射光を接眼レンズまで導く観察系と、を備え、出射光により形成される被検眼の観察像を、接眼レンズを通して複数の観察条件で観察可能な眼科用観察装置において、観察条件に係る照明系及び観察系の少なくとも一方の設定情報を取得する設定情報取得部と、接眼レンズを通して観察像が観察される観察視野領域内に、設定情報取得部が取得した設定情報を表示する設定情報表示部と、を備える。
【０００８】
この眼科用観察装置によれば、検者は接眼レンズを通して観察像を観察しながら、この観察像の観察条件を同時に確認することができる。
【０００９】
本発明の他の態様に係る眼科用観察装置において、設定情報表示部は、観察系により結像される出射光の結像位置から、出射光の光軸に対して垂直方向にシフトした位置に設けられている。これにより、設定情報表示部を眼科用観察装置内の空きスペースに設けることができるので、眼科用観察装置の大型化を防止することができ、さらにレンズ及びミラー等の光学部材を別途配置する必要がないので、部品数の減少及び配置スペースの減少が図れる。また、設定情報表示部を出射光の光軸上に配置しないので、接眼レンズを通して観察される観察像の画質（明るさ等）の低下が防止される。その結果、部品数の減少及び配置スペースの減少と、観察像の画質向上とを両立することができる。
【００１０】
本発明の他の態様に係る眼科用観察装置において、設定情報表示部は、出射光の光軸上に設けられ且つ出射光を透過する透過型のディスプレイである。これにより、設定情報表示部を眼科用観察装置内の空きスペースに設けることができるので、眼科用観察装置の大型化を防止することができ、さらにレンズ及びミラー等の光学部材を別途配置する必要がないので、部品数の減少及び配置スペースの減少が図れる。
【００１１】
本発明の他の態様に係る眼科用観察装置において、設定情報表示部は、設定情報の画像を観察系に向けて出射する画像出射光学系と、観察系に設けられ、画像出射光学系から出射された設定情報の画像を接眼レンズまで導く案内光学系と、を備える。これにより、観察像とこの観察像の観察条件とを同時に確認することができる。
【００１２】
本発明の他の態様に係る眼科用観察装置において、観察系には、観察像の倍率を変更する変倍光学系が設けられており、設定情報には、観察像の倍率が含まれる。これにより、観察像の観察条件として観察像の倍率を確認することができる。
【００１３】
本発明の他の態様に係る眼科用観察装置において、設定情報には、観察視野領域内に観察される観察像内の観察対象物の少なくとも大きさを示す指標が含まれており、設定情報取得部は、観察像の倍率に対応した指標を取得する。これにより、検者は観察視野領域内で観察される観察対象物の少なくとも大きさを判別することができ、その結果、観察像の観察条件として観察像の倍率を間接的に確認することができる。
【００１４】
本発明の他の態様に係る眼科用観察装置において、観察対象物が角膜内皮細胞である場合、指標は角膜内皮細胞の大きさ及び密度を示すスケールである。これにより、検者は観察視野領域内で観察される角膜内皮細胞の大きさ及び密度を判別することができ、その結果、観察像の観察条件として観察像の倍率を間接的に確認することができる。
【００１５】
本発明の他の態様に係る眼科用観察装置において、設定情報には、照明系内の光の光路に挿入されているフィルタと、観察系内の出射光の光路に挿入されているフィルタとの少なくとも一方が含まれる。これにより、観察像の観察条件として、各光路の少なくとも一方に挿入されているフィルタを確認することができる。
【００１６】
本発明の他の態様に係る眼科用観察装置において、設定情報には、照明系内の光の光路に配置されている絞りの絞り径と、観察系内の出射光の光路に配置されている絞りの絞り径との少なくとも一方が含まれる。これにより、観察像の観察条件として、各光路の少なくとも一方に配置されている絞りの絞り径を確認することができる。
【００１７】
本発明の目的を達成するための眼科用観察装置の作動方法は、被検眼に光を入射する照明系と、照明系からの光の入射に応じて被検眼から出射した出射光を接眼レンズまで導く観察系と、を備え、出射光により形成される被検眼の観察像を、接眼レンズを通して複数の観察条件で観察可能な眼科用観察装置の作動方法において、設定情報取得部が、観察条件に係る照明系及び観察系の少なくとも一方の設定情報を取得する設定情報取得工程と、設定情報表示部が、接眼レンズを通して観察像が観察される観察視野領域内に、設定情報取得部が取得した設定情報を表示する設定情報表示工程と、を有する。
【発明の効果】
【００１８】
本発明の眼科用観察装置及びその作動方法は、操作性を低下させることなく検者が観察像の観察条件を正確に確認することができる。
【図面の簡単な説明】
【００１９】
【図１】テーブル上に載置された細隙灯顕微鏡の側面図である。
【図２】照明系及び観察系の双方の光学系の構成を示した概略図である。
【図３】図２中の結像位置Ｐの周辺の拡大図である。
【図４】制御部の電気的構成を示すブロック図である。
【図５】スケール切替操作がＯＦＦ設定である場合に、観察視野領域内で表示される設定情報の一例を説明するための説明図である。
【図６】スケール切替操作がＯＮ設定である場合、すなわち角膜内皮観察を行う場合に、観察視野領域内で表示される設定情報の一例を説明するための説明図である。
【図７】細隙灯顕微鏡を用いた被検眼の観察の流れの一例を示すフローチャートである。
【図８】設定情報表示部の別実施形態１を説明するための説明図である。
【図９】設定情報表示部の別実施形態２を説明するための説明図である。
【発明を実施するための形態】
【００２０】
［細隙灯顕微鏡の構成］
図１は、テーブル９上に載置された細隙灯顕微鏡１０の側面図である。図１に示すように、細隙灯顕微鏡１０は、本発明の眼科用観察装置に相当するものであり、本体ベース１１と、顎受け台１２と、電動駆動部１３と、移動ステージ１４と、操作レバー１５と、支持部１６と、照明系１８と、観察系１９と、制御部２０と、を備える。
【００２１】
本体ベース１１は、テーブル９上に載置されている。この本体ベース１１の被検者（患者）側の端部には顎受け台１２が設けられ、且つ本体ベース１１の上面には電動駆動部１３及び移動ステージ１４が設けられている。
【００２２】
顎受け台１２は、図中上下方向に位置調整可能な顎受け１２ａ及び額当て１２ｂを有しており、細隙灯顕微鏡１０を用いた被検眼Ｅの観察時に被検者の顔を支持する。
【００２３】
電動駆動部１３は、本体ベース１１上において移動ステージ１４を水平方向（前後方向及び左右方向）に移動自在に保持している。また、移動ステージ１４の上面には、操作レバー１５及び支持部１６が設けられている。なお、前後方向は被検者に近づく前方向と被検者から遠ざかる後方向であり、左右方向は被検者の眼幅方向である。
【００２４】
電動駆動部１３は、不図示のモータと、このモータの回転を水平方向の駆動力に変換する不図示の駆動伝達機構と、を備えている。この電動駆動部１３は、後述の制御部２０の制御の下、操作レバー１５の操作に応じて移動ステージ１４を水平方向に移動させる。これにより、被検眼Ｅに対する支持部１６（照明系１８及び観察系１９）の位置調整が可能となる。
【００２５】
操作レバー１５は、移動ステージ１４の上面の検者側の端部に設けられている。この操作レバー１５は、支持部１６（照明系１８及び観察系１９）を水平方向（前後方向及び左右方向）に手動で移動操作するための操作部材である。例えば、操作レバー１５を前後方向又は左右方向に傾倒操作することで、後述の制御部２０の制御の下、電動駆動部１３が移動ステージ１４を前後方向又は左右方向に移動させる。
【００２６】
支持部１６は、照明系１８及び観察系１９をそれぞれ支持している。この支持部１６には、観察系１９を支持する支持アーム２２が左右方向に回動自在（上下方向に平行な軸周りに回動自在）に取り付けられている。支持アーム２２は、図中前後方向に延びた水平部と、この水平部の後方向側の基端部から上方向に延びた垂直部と、を有している。支持アーム２２の水平部の上面には、照明系１８を支持する支持アーム２３が左右方向に回動自在に取り付けられている。また、支持アーム２２の垂直部の上面には、観察系１９の鏡筒本体２４が取り付けられている。
【００２７】
支持アーム２２及び支持アーム２３は、それぞれ独立に同軸で回動可能とされている。これにより、検者が支持アーム２２を手動で回動させることで観察系１９が支持アーム２２の回転軸を中心として左右方向に揺動されると共に、支持アーム２３を手動で回動させることで照明系１８が支持アーム２３の回転軸を中心として左右方向に揺動される。なお、各支持アーム２２，２３を、モータ及び駆動伝達機構により構成される駆動部により回動させてもよい。
【００２８】
照明系１８は、被検眼Ｅに対して照明光である細隙光Ｌ１（本発明の光に相当、図２参照）を入射させる。この照明系１８は、既述の通り支持アーム２３の回転軸を中心して手動操作で左右方向に揺動させることにより、被検眼Ｅに対する細隙光Ｌ１の入射位置（照射位置）を変更できる。なお、被検眼Ｅに入射する細隙光Ｌ１の俯角及び仰角を調整するために照明系１８を上下方向にも揺動可能な構成としてもよい。
【００２９】
照明系１８の下方位置には、照明系１８から出力される細隙光Ｌ１を被検眼Ｅに向けて反射するミラー２５が配置されている。
【００３０】
観察系１９は、細隙光Ｌ１（図２参照）の入射に応じて被検眼Ｅから出射（ここでは反射）された反射光Ｌ２（図２参照）を、後述の接眼部２４ａ内の接眼レンズ４８（図２参照）まで導く左右一対の光学系を有する。なお、反射光Ｌ２には、例えば散乱光のように被検眼Ｅを経由した各種の光が含まれるが、これら各種の光を含めて「反射光」という。
【００３１】
観察系１９の光学系は鏡筒本体２４内に収納されている。鏡筒本体２４の終端は双眼型の接眼部２４ａである。検者は、接眼部２４ａを通して被検眼Ｅの観察像２７（図２参照）を両眼視する。この観察系１９は、既述の通り支持アーム２２の回転軸を中心して手動操作で左右方向に揺動させることにより、被検眼Ｅに対する観察系１９の向きを変更できる。
【００３２】
鏡筒本体２４の側面には、被検眼Ｅの観察像２７（図２参照）の観察倍率を変更操作するための観察倍率操作ノブ２８が配置されている。また、鏡筒本体２４には、被検眼Ｅの観察像２７を撮像する撮像装置２９が接続されている。
【００３３】
制御部２０は、細隙灯顕微鏡１０の各部に接続されたコンピュータ等の演算装置であり、細隙灯顕微鏡１０の各部の動作を統括的に制御する。なお、図中では制御部２０が細隙灯顕微鏡１０の筐体外に設けられているが、この筐体内に設けられていてもよい。
【００３４】
細隙灯顕微鏡１０は、被検眼Ｅの角膜観察、眼底観察、及び水晶体観察等の各種観察に用いられる。また、細隙灯顕微鏡１０は、被検眼Ｅの角膜Ｅｃ（図２参照）の角膜内皮細胞Ｓ（図６参照）を直接観察する角膜内皮細胞観察にも用いられる。この角膜内皮細胞観察では、照明系１８から被検眼Ｅに対して斜めから細隙光Ｌ１（図２参照）を入射し、観察系１９にて反射光Ｌ２（図２参照）の強度が最も高くなるポイントで被検眼Ｅの観察像２７（図２参照）を拡大することで、角膜内皮細胞Ｓの直接観察を行う。
【００３５】
［細隙灯顕微鏡１０の光学系の構成］
図２は、照明系１８及び観察系１９の双方の光学系の構成を示した概略図である。なお、符号Ｅｃは被検眼Ｅの角膜を、符号Ｅｐは被検眼Ｅの虹彩を、符号Ｅｒは被検眼Ｅの眼底をそれぞれ示している。また、符号Ｅｏは検者の観察眼を示している。さらに、符号Ｏ１は照明系１８における細隙光Ｌ１（照明光）の光軸を示し、符号Ｏ２は観察系１９における反射光Ｌ２の光軸を示す。
【００３６】
＜照明系の構成＞
照明系１８は、白色光源３１、リレーレンズ３２、照明絞り３３、集光レンズ３４、視野絞り３５、細隙形成部３６、及び集光レンズ３７を有する。また、照明系１８では、細隙形成部３６と集光レンズ３７との間に光学フィルタ３８が挿脱自在に配置される。
【００３７】
白色光源３１は照明光をリレーレンズ３２に向けて出射する。この白色光源３１としては、白色発光ダイオード（LED：light emitting diode）、白色有機ＥＬ（electroluminescence）光源、及びハロゲンランプ等の白色光を出射する公知の光源が用いられる。
【００３８】
なお、上述の白色光源３１とは別の光源を追加的に設けてもよい。例えば、定常光を出力する光源と、フラッシュ光を出力する光源とを別々に設けてもよい。また、被検眼Ｅの角膜観察用の光源と眼底観察用の光源とを別々に設けてもよい。
【００３９】
リレーレンズ３２は、白色光源３１から入射した照明光を照明絞り３３に向けて出射する。
【００４０】
照明絞り３３は、白色光源３１から入射した照明光を透光する透光部を有し、この透光部のサイズ（絞り径）を変更可能に構成されている。この照明絞り３３は、その絞り径を調整することで、白色光源３１から被検眼Ｅに入射する照明光（細隙光Ｌ１）の光量、すなわち明るさを調整する光学部材である。また、照明絞り３３には、被検眼Ｅの角膜Ｅｃ及び水晶体による照明光の反射を低減させる機能、及び照明光の明るさを調整する機能等もある。照明絞り３３を通過した照明光は集光レンズ３４に入射する。
【００４１】
集光レンズ３４は、照明絞り３３から入射した照明光を視野絞り３５に集光させる。
【００４２】
視野絞り３５は、集光レンズ３４から入射した照明光を透光する透光部を有し、この透光部のサイズ（絞り径）を変更可能に構成されている。この視野絞り３５は、その絞り径を調整することで、白色光源３１により出力された照明光（細隙光Ｌ１）の被検眼Ｅに対する照射野を調整する。視野絞り３５を通過した照明光は細隙形成部３６に入射する。
【００４３】
細隙形成部３６は、視野絞り３５から入射した照明光から細隙光Ｌ１を生成し、この細隙光Ｌ１を集光レンズ３７に向けて出射する。この細隙形成部３６は、一対のスリット刃を有しており、これらスリット刃の間隔（スリット幅）を変更することにより細隙光Ｌ１の幅を調整する。
【００４４】
光学フィルタ３８は、細隙形成部３６と集光レンズ３７との間において、細隙形成部３６から出射される細隙光Ｌ１の光路に挿脱自在に配置される。光学フィルタ３８としては、例えばブルーフィルタ、無赤色フィルタ、ＮＤ（Neutral Density）フィルタ、色温度変化フィルタ、ＩＲ（infrared）カットフィルタ、及びエキサイタフィルタ等が例として挙げられる。なお、これら以外の光学フィルタ３８を使用してもよい。また、細隙光Ｌ１の光路には、細隙光Ｌ１に含まれている紫外光をカットするＵＶ（ultraviolet）カットフィルタが常時挿入されている。
【００４５】
ブルーフィルタは、蛍光造影剤（フルオレセイン）が投与された被検眼Ｅの蛍光観察に用いられるフィルタであり、青色の波長域の光を透過させる。無赤色フィルタは、視神経繊維の異常を検査する際等に使用するフィルタであり、赤色の波長域の光をカットする光学フィルタ（グリーンフィルタ等）である。ＮＤフィルタは、細隙光Ｌ１の透過率を変更（減少）するための光学フィルタである。
【００４６】
色温度変換フィルタは、後述の細隙形成部３６から出射される細隙光Ｌ１の色温度を低下させて暖色系の光に変換する光学フィルタである。この色温度変換フィルタを用いる場合には、上述の白色光源３１として寒色系白色光源が用いられる。ＩＲカットフィルタは細隙光Ｌ１に含まれている赤外光をカットする。
【００４７】
エキサイタフィルタは、被検眼Ｅに投与される蛍光剤を励起して蛍光を発生させる励起光の波長成分（励起波長成分）を透過可能なバンドパスフィルタ等の光学フィルタである。
【００４８】
これら各光学フィルタ３８は、光軸Ｏ１の軸周りに沿って円周方向に配列された状態でフィルタターレット３９（図４参照）に嵌め込まれている。そして、制御部２０の制御の下、フィルタターレット３９を回転させることで、各光学フィルタ３８は細隙光Ｌ１の光路中に選択的に挿入される。なお、フィルタターレット３９を複数設けることにより、複数種類の光学フィルタ３８を同時に細隙光Ｌ１の光路中に挿入できる。
【００４９】
集光レンズ３７は、細隙形成部３６から入射した細隙光Ｌ１、或いは細隙形成部３６から光学フィルタ３８を介して入射した細隙光Ｌ１を集光レンズ３７に集光させる。
【００５０】
ミラー２５は、照明系１８及び観察系１９で共用される光学部材であり、例えばハーフミラー及びビームスプリッタ等が用いられる。ミラー２５は、集光レンズ３７から入射した細隙光Ｌ１の一部を被検眼Ｅに向けて反射する。また、ミラー２５は、被検眼Ｅにて反射された細隙光Ｌ１の反射光Ｌ２を含む被検眼Ｅの前眼部の像（以下、単に反射光Ｌ２と略す、本発明の出射光に相当）の一部をそのまま透過して観察系１９へ出射する。
【００５１】
＜観察系の構成＞
観察系１９は被検眼Ｅの両眼に対応したガリレオタイプ又はグリーノタイプ等の左右一対の光学系を備えている。左右の光学系はほぼ同様の構成を有する。検者は、この左右の光学系により被検眼Ｅを双眼で観察する。なお、図２には、観察系１９の左右の光学系の一方のみが示されている。
【００５２】
観察系１９の光学系は、対物レンズ４１、変倍光学系４２、絞り４３、バリアフィルタ４４、ビームスプリッタ４５、リレーレンズ４６、プリズム４７、及び接眼レンズ４８を有する。
【００５３】
対物レンズ４１は、ミラー２５から入射した反射光Ｌ２を変倍光学系４２に向けて出射する。
【００５４】
変倍光学系４２は、例えば公知のドラム式変倍機構が用いられる。この変倍光学系４２は、複数（例えば２枚）の変倍レンズ４２ａ，４２ｂを含む。各変倍レンズ４２ａ，４２ｂは、既述の観察倍率操作ノブ２８の操作に応じて、光軸Ｏ２に沿って移動する。これにより、反射光Ｌ２によって形成される被検眼Ｅの観察像２７及びこの観察像２７の撮像画像の倍率（画角）を変更できる。例えば本実施形態では、変倍光学系４２により観察像２７の倍率を５段階（６倍／１０倍／１６倍／２５倍／４０倍）で変更可能である。変倍光学系４２を透過した反射光Ｌ２はバリアフィルタ４４又はビームスプリッタ４５に向けて出射される。
【００５５】
なお、変倍光学系４２として、図示しないスイッチ等及びレンズ駆動部を用いて電動で各変倍レンズ４２ａ，４２ｂを光軸Ｏ２に沿って移動させることにより、観察像２７の倍率を多段階で調整してもよい。
【００５６】
変倍レンズ４２ａ，４２ｂの間には絞り４３が配置されている。絞り４３は、変倍レンズ４２ａから入射した反射光Ｌ２を透光する透光部を有し、この透光部のサイズ（絞り径）を変更可能に構成されている。絞り４３は、その絞り径を調整することで、観察眼Ｅｏ及び撮像素子５３に入射する反射光Ｌ２の光量を調整する光学部材である。
【００５７】
バリアフィルタ４４は、変倍光学系４２とビームスプリッタ４５との間において、反射光Ｌ２の光路に対し挿脱自在に配置される。バリアフィルタ４４は、蛍光観察を行う場合に反射光Ｌ２の光路に挿入される。バリアフィルタ４４は、蛍光観察において被検眼Ｅに投与された蛍光剤が発する蛍光に相当する波長成分を透過させるバンドパスフィルタ等の光学フィルタである。このバリアフィルタ４４は、後述のフィルタ駆動部６７により保持されており、制御部２０の制御の下、反射光Ｌ２の光路中に挿脱される。なお、バリアフィルタ４４が反射光Ｌ２の光路中に挿入された場合、既述の光学フィルタ３８の中のエキサイタフィルタが細隙光Ｌ１の光路中に挿入される。これにより、被検眼Ｅの蛍光観察が可能となる。
【００５８】
ビームスプリッタ４５は、観察系１９の左右の光学系の一方又は双方に設けられる。このビームスプリッタ４５は、変倍光学系４２から入射した反射光Ｌ２、或いは変倍光学系４２からバリアフィルタ４４を介して入射した反射光Ｌ２を２分割する。そして、ビームスプリッタ４５は、２分割した反射光Ｌ２の一方をリレーレンズ４６に向けて出射し、反射光Ｌ２の他方を撮像装置２９の光学系に向けて出射する。
【００５９】
リレーレンズ４６は、ビームスプリッタ４５から入射した反射光Ｌ２をプリズム４７に向けて出射する。
【００６０】
プリズム４７は、２つの光学素子４７ａ，４７ｂを含み、リレーレンズ４６から入射した反射光Ｌ２の進行方向を上方に平行移動させると共に、この反射光Ｌ２を結像位置Ｐで結像させる。
【００６１】
接眼レンズ４８は接眼部２４ａ内に設けられている。これにより、観察眼Ｅｏは、接眼レンズ４８を通して、プリズム４７により結像位置Ｐで結像された反射光Ｌ２により形成される被検眼Ｅの観察像２７（その拡大像）を観察できる。
【００６２】
撮像装置２９は、リレーレンズ５１とミラー５２と撮像素子５３とを有する。リレーレンズ５１は、ビームスプリッタ４５から入射した反射光Ｌ２をミラー５２に向けて出射する。ミラー５２は、リレーレンズ５１から入射した反射光Ｌ２を撮像素子５３に向けて反射する。ミラー５２で反射された反射光Ｌ２は、不図示の結像レンズを介して撮像素子５３の撮像面に結像される。
【００６３】
撮像素子５３は、例えばＣＭＯＳ（complementary metal oxide semiconductor）型又はＣＣＤ（Charge Coupled Device）型のイメージセンサが用いられる。この撮像素子５３は、撮像面に結像された反射光Ｌ２、すなわち被検眼Ｅの観察像２７を撮像して、この観察像２７の撮像画像データを出力する。
【００６４】
本実施形態の細隙灯顕微鏡１０では、照明絞り３３、視野絞り３５、細隙形成部３６、光学フィルタ３８、変倍光学系４２、及びバリアフィルタ４４の少なくともいずれかの設定を変えることにより、観察像２７の観察条件を変更できる。これにより、検者は、接眼レンズ４８を通して観察像２７を複数の観察条件で観察することができる。
【００６５】
図３は、図２中の結像位置Ｐの周辺の拡大図である。図３に示すように、鏡筒本体２４内には、結像位置Ｐから光軸Ｏ２に対して垂直方向（略垂直方向を含む）にシフトした位置に、マイクロディスプレイ５５（マイクロディスプレイプロジェクタともいう）が設けられている。具体的に、マイクロディスプレイ５５は、接眼レンズ４８を通して観察像２７を観察する観察眼Ｅｏの焦点位置（焦点位置の近傍を含む）であって、且つ結像位置Ｐに結像される観察像２７に隣接する位置（観察眼Ｅｏによる観察像２７の観察を妨げない位置）に設けられている。なお、マイクロディスプレイ５５は、観察系１９の左右の光学系のいずれか一方、又は双方に設けられている。
【００６６】
マイクロディスプレイ５５は、本発明の設定情報表示部に相当するものであり、各種の画像を表示（画像の像光を出射）する。このマイクロディスプレイ５５としては、例えば反射型液晶パネル（Liquid crystal on silicon）、ＤＭＤ（Digital Micro mirror Device）、ＭＥＭＳ（Micro Electro Mechanical Systems）、ＥＬディスプレイ（electroluminescence display）、透過型液晶ディスプレイ、及び画像生成用のマイクロスキャナなどが用いられる。
【００６７】
また、マイクロディスプレイ５５は、例えば赤外線画像又はカラー画像を出射するために、可視光を出射する照明源及び不可視光を出射する照明源の少なくともいずれか一方を１又は複数有していてもよい。この照明源としては、ハロゲンランプ、白色ＬＥＤ、１つ以上の同軸ＬＥＤ（例えば、赤、緑、青、琥珀色、若しくは近赤外ＬＥＤ）、又は１つ以上の同軸レーザ（例えば、赤−緑−青（ＲＧＢ）若しくは近赤外レーザ）等を用いることができる。
【００６８】
マイクロディスプレイ５５は、観察像２７の観察条件に係る照明系１８及び観察系１９の設定情報８３（図５参照）を表示する。この設定情報８３としては、細隙形成部３６の一対のスリット刃の間隔（細隙光Ｌ１の幅）、変倍光学系４２によって変更される観察像２７の倍率、観察像２７内の観察対象物の少なくとも大きさを示す指標、照明絞り３３の絞り径、視野絞り３５の絞り径、細隙光Ｌ１の光路内に挿入されている光学フィルタ３８の種類、及び反射光Ｌ２の光路内へのバリアフィルタ４４の挿脱などが例として挙げられる。
【００６９】
マイクロディスプレイ５５が設定情報８３（図５参照）を表示することで、接眼レンズ４８を通して観察眼Ｅｏが観察像２７の観察を行う観察視野領域Ｒ（図５参照）内に、観察像２７と設定情報８３とを合成表示（並列表示）することができる。
【００７０】
［制御部の機能］
図４は、制御部２０の電気的構成を示すブロック図である。図４に示すように、制御部２０は、例えばＣＰＵ（Central Processing Unit）又はＦＰＧＡ（field-programmable gate array）等を含む各種の演算部及びメモリ等から構成された演算回路であり、細隙灯顕微鏡１０の各部の動作を統括制御する。制御部２０は、操作部６８の操作に応じて、電動駆動部１３、照明系１８、及び観察系１９等の制御を行う。
【００７１】
制御部２０には、既述の電動駆動部１３と白色光源３１と撮像素子５３との他に、記憶部６１、表示部６２、照明絞り駆動部６３、視野絞り駆動部６４、スリット駆動部６５、フィルタ駆動部６６、フィルタ駆動部６７、及び操作部６８等が接続されている。なお、図中では、顎受け台１２の顎受け１２ａ及び額当て１２ｂの位置を調整する位置調整部、及び観察系１９内の絞り４３の絞り径を調整する絞り駆動部については図示を省略している。
【００７２】
記憶部６１は、制御部２０が電動駆動部１３、照明系１８、及び観察系１９等の制御を行うための制御プログラム（不図示）を記憶している。また、記憶部６１には、制御部２０が既述の撮像素子５３より取得した観察像２７の撮像画像データなどの各種情報が記憶される。
【００７３】
表示部６２は、例えば液晶ディスプレイ（タッチパネル式の液晶ディスプレイでも可）のなど公知のモニタであり、細隙灯顕微鏡１０の筐体表面又は筐体外に設けられている。この表示部６２は、制御部２０の制御を受けて各種の情報を表示する。例えば表示部６２は、細隙灯顕微鏡１０の各部の操作（主として後述の操作部６８で行われる操作以外）を行うための操作画面、及び上述の観察像２７の撮像画像データ等を表示する。
【００７４】
照明絞り駆動部６３、視野絞り駆動部６４、スリット駆動部６５、フィルタ駆動部６６、及びフィルタ駆動部６７等の各駆動部は、例えば、モータ又はソレノイド等のアクチュエータ（不図示）と、このアクチュエータにより発生された駆動力を伝達する伝達機構（不図示）と、を備える。
【００７５】
照明絞り駆動部６３は、照明絞り３３を動作させてその絞り径を調整する。また、視野絞り駆動部６４は、視野絞り３５を動作させてその絞り径を調整する。例えば本実施形態では、照明絞り３３及び視野絞り３５の絞り径が６段階（φ１４ｍｍ／φ１０ｍｍ／φ５ｍｍ／φ２ｍｍ／φ１ｍｍ／φ０．２ｍｍ）で調整可能となる。
【００７６】
スリット駆動部６５は、細隙形成部３６の一対のスリット刃を動作させて一対のスリット刃の間隔、すなわち細隙光Ｌ１の幅を調整する。
【００７７】
フィルタ駆動部６６は、既述のフィルタターレット３９をその中心軸（光軸Ｏ１に平行な軸）周りに回転させることで、各光学フィルタ３８を選択的に細隙光Ｌ１の光路内に挿入する。フィルタ駆動部６７は、バリアフィルタ４４を光軸Ｏ２に対して垂直方向に移動させることにより、反射光Ｌ２の光路に対してバリアフィルタ４４を挿脱させる。
【００７８】
操作部６８は、電動駆動部１３の操作と、照明系１８及び観察系１９の操作と、を含む細隙灯顕微鏡１０の各部の操作に用いられる。なお、照明系１８及び観察系１９の操作とは、観察像２７の観察条件の設定（変更）を行う設定操作である。
【００７９】
操作部６８は、既述の操作レバー１５及び観察倍率操作ノブ２８の他に、照明絞り操作部７１、視野絞り操作部７２、間隔変更操作部７３、光学フィルタ操作部７４、バリアフィルタ操作部７５、及びスケール切替操作部７６等を含む。なお、図中では、顎受け台１２及び観察系１９内の絞り４３の操作を行う構成については図示を省略している。
【００８０】
操作レバー１５には不図示の直動型ポテンショメータが設けられており、この直動型ポテンショメータは操作レバー１５の前後方向及び左右方向の傾倒操作を検出する。制御部２０は、直動型ポテンショメータの検出結果に基づき、電動駆動部１３の駆動を制御して、移動ステージ１４を前後方向又は左右方向に移動させる。
【００８１】
観察倍率操作ノブ２８は、観察像２７の倍率を既述の５段階の倍率の中から選択する倍率選択操作に用いられる。この倍率選択操作に応じて、変倍光学系４２は観察像２７の倍率を変更する。
【００８２】
照明絞り操作部７１、視野絞り操作部７２、間隔変更操作部７３、光学フィルタ操作部７４、バリアフィルタ操作部７５、及びスケール切替操作部７６は、スイッチ、レバー、ハンドル、及びキーなどの物理的な操作部の他、既述の表示部６２に表示される操作画面中のアイコン等の仮想的な操作部であってもよい。
【００８３】
照明絞り操作部７１は、照明絞り３３の絞り径を選択する絞り径選択操作に用いられる。制御部２０は、照明絞り操作部７１にて行われた絞り径選択操作に基づき、照明絞り駆動部６３の駆動を制御して、照明絞り３３の絞り径を調整する。
【００８４】
視野絞り操作部７２は、視野絞り３５の絞り径を選択する絞り径選択操作に用いられる。制御部２０は、視野絞り操作部７２にて行われた絞り径選択操作に基づき、視野絞り駆動部６４の駆動を制御して、視野絞り３５の絞り径を調整する。
【００８５】
間隔変更操作部７３は、細隙形成部３６の一対のスリット刃の間隔（細隙光Ｌ１の幅）を調整する間隔調整操作に用いられる。制御部２０は、間隔変更操作部７３にて行われた間隔調整操作に基づき、スリット駆動部６５の駆動を制御して、一対のスリット刃の間隔を調整する。
【００８６】
光学フィルタ操作部７４は、複数種類の光学フィルタ３８の中で細隙光Ｌ１の光路内に挿入する光学フィルタ３８を選択するフィルタ選択操作に用いられる。制御部２０は、光学フィルタ操作部７４にて行われたフィルタ選択操作に基づき、フィルタ駆動部６６の駆動を制御して、フィルタ選択操作で選択された光学フィルタ３８が細隙光Ｌ１の光路内に挿入されるように、フィルタターレット３９を回転させる。
【００８７】
バリアフィルタ操作部７５は、反射光Ｌ２の光路に対するバリアフィルタ４４の挿脱を選択するフィルタ挿脱操作に用いられる。制御部２０は、光学フィルタ操作部７４にて行われたフィルタ挿脱操作に基づき、フィルタ駆動部６７の駆動を制御して、反射光Ｌ２の光路に対してバリアフィルタ４４を挿脱させる。
【００８８】
スケール切替操作部７６は、マイクロディスプレイ５５に表示される後述の設定情報８３（図５及び図６参照）に含まれるスケール表示を切り替えるスケール切替操作に用いられる。具体的に、スケール切替操作部７６は、被検眼Ｅの観察として角膜内皮細胞Ｓ（図６参照）の観察を行う場合にはＯＮ設定され、他の観察を行う場合にはＯＦＦ設定される。制御部２０は、スケール切替操作部７６にて行われたスケール切替操作に基づき、マイクロディスプレイ５５による設定情報８３中のスケール表示（図５及び図６参照）を変更する。
【００８９】
制御部２０は、記憶部６１から読み出した制御プログラム（不図示）を実行することで、設定情報取得部８０及び設定情報表示制御部８１として機能する。
【００９０】
設定情報取得部８０は、操作部６８の各部の操作状態に基づき、観察像２７の観察条件に係る照明系１８及び観察系１９の設定情報８３を取得し、取得した設定情報８３を設定情報表示制御部８１へ出力する。
【００９１】
具体的に、設定情報取得部８０は、照明絞り操作部７１の操作状態に基づき、設定情報８３として、照明絞り３３の絞り径に関する情報の取得及び出力を行う。また、設定情報取得部８０は、視野絞り操作部７２の操作状態に基づき、設定情報８３として、視野絞り３５の絞り径に関する情報の取得及び出力を行う。
【００９２】
設定情報取得部８０は、間隔変更操作部７３の操作状態に基づき、設定情報８３として、細隙形成部３６の一対のスリット刃の間隔（細隙光Ｌ１の幅）に関する情報の取得及び出力を行う。
【００９３】
設定情報取得部８０は、光学フィルタ操作部７４の操作状態に基づき、設定情報８３として、細隙光Ｌ１の光路内に挿入されている光学フィルタ３８の種類に関する情報の取得及び出力を行う。また、設定情報取得部８０は、バリアフィルタ操作部７５の操作状態に基づき、設定情報８３として、反射光Ｌ２の光路に対するバリアフィルタ４４の挿脱に関する情報の取得及び出力を行う。
【００９４】
設定情報取得部８０は、観察倍率操作ノブ２８の操作状態に基づき、設定情報８３として、変倍光学系４２による観察像２７の倍率に関する情報の取得及び出力を行う。
【００９５】
設定情報取得部８０は、観察倍率操作ノブ２８の操作状態（変倍光学系４２による観察像２７の倍率）と、スケール切替操作部７６の操作状態とに基づき、設定情報８３として、観察像２７内の各種観察対象物の少なくとも大きさを示す指標となるスケール８５Ａ，８５Ｂ（図５及び図６参照）の取得及び出力を行う。なお、ここいう設定情報取得部８０によるスケール８５Ａ，８５Ｂの取得には、スケール８５Ａ，８５Ｂの生成が含まれる。
【００９６】
具体的に、設定情報取得部８０は、スケール切替操作の操作状態がＯＦＦ設定である場合、すなわち角膜内皮細胞観察以外の観察を行う場合、観察像２７の倍率に基づき、設定情報８３として、観察像２７内の各種観察対象物の大きさを示すスケール８５Ａ（図５参照）の取得及び出力を行う。一方、設定情報取得部８０は、スケール切替操作の操作状態がＯＮ設定である場合、すなわち角膜内皮細胞観察を行う場合、設定情報８３として、角膜内皮細胞Ｓ（図６参照）の大きさ及び密度を示すスケール８５Ｂ（図６参照）の取得及び出力を行う。スケール８５Ａ，８５Ｂは、観察像２７の倍率に応じて拡縮されるため、観察像２７の観察条件として観察像２７の倍率を間接的に示す情報である。
【００９７】
設定情報表示制御部８１は、設定情報取得部８０から入力された設定情報８３に基づき、マイクロディスプレイ５５を制御して設定情報８３の表示を実行させる。これにより、観察眼Ｅｏが接眼レンズ４８を通して観察像２７の観察を行う観察視野領域Ｒ（図５参照）内に、設定情報８３が表示される。
【００９８】
図５は、スケール切替操作がＯＦＦ設定である場合に、観察視野領域Ｒ内で表示される設定情報８３の一例を説明するための説明図である。図６は、スケール切替操作がＯＮ設定である場合、すなわち角膜内皮観察を行う場合に、観察視野領域Ｒ内で表示される設定情報８３の一例を説明するための説明図である。
【００９９】
図５及び図６に示すように、設定情報表示制御部８１は、観察眼Ｅｏの焦点位置であって且つ結像位置Ｐに結像される観察像２７に隣接する位置において、マイクロディスプレイ５５に設定情報８３を表示させる。これにより、観察視野領域Ｒ内において、観察像２７に隣接する位置に設定情報８３が表示、すなわち観察像２７に対して設定情報８３が合成表示（並列表示）される。
【０１００】
観察視野領域Ｒ内に表示される設定情報８３には、絞り径表示欄８３ａと、絞り径表示欄８３ｂと、間隔表示欄８３ｃと、光学フィルタ欄８３ｄと、バリアフィルタ欄８３ｅと、倍率欄８３ｆと、スケール欄８３ｇと、が含まれている。
【０１０１】
絞り径表示欄８３ａには照明絞り３３の絞り径「φ１」が表示される。絞り径表示欄８３ｂには視野絞り３５の絞り径「φ２」が表示される。間隔表示欄８３ｃには細隙形成部３６の一対のスリット刃の間隔（幅）「Ｗ」が表示される。光学フィルタ欄８３ｄには、細隙光Ｌ１の光路中に挿入されている光学フィルタ３８の種類（名称）が表示される。
【０１０２】
バリアフィルタ欄８３ｅには、バリアフィルタ４４が反射光Ｌ２の光路内に挿入されている場合には「ＩＮ」が表示され、逆にバリアフィルタ４４が反射光Ｌ２の光路外にある場合には「ＯＵＴ」が表示される。倍率欄８３ｆには、変倍光学系４２による観察像２７の倍率が表示される。
【０１０３】
図５に示すように、スケール切替操作がＯＦＦ設定である場合（角膜内皮細胞観察以外の観察を行う場合）、スケール欄８３ｇには、観察像２７内の観察対象物（例えば血管、水晶体、及び黄斑等）の大きさを示すスケール８５Ａが表示される。一方、図６に示すように、スケール切替操作がＯＮ設定である場合（角膜内皮細胞観察を行う場合）、スケール欄８３ｇには、観察像２７内の観察対象物である角膜内皮細胞Ｓの大きさ及び密度を示すスケール８５Ｂが表示される。これらスケール８５Ａ，８５Ｂは、既述の通り、変倍光学系４２による観察像２７の倍率の増減に応じて拡縮される。
【０１０４】
［細隙灯顕微鏡の作用］
図７は、上記構成の細隙灯顕微鏡１０を用いた被検眼Ｅの観察の流れ（本発明の眼科用観察装置の作動方法）の一例を示すフローチャートである。検者が細隙灯顕微鏡１０の電源をオンすると、制御部２０は照明系１８の白色光源３１の電源をＯＮする。これにより、白色光源３１から照明光が出射される。白色光源３１から出射された照明光は、リレーレンズ３２、照明絞り３３、集光レンズ３４、及び視野絞り３５を経て細隙形成部３６に入射して細隙光Ｌ１となる。この細隙光Ｌ１は光学フィルタ３８及び集光レンズ３７を経てミラー２５に入射し、このミラー２５により反射される。これにより、照明系１８から細隙光Ｌ１が出射される（ステップＳ１）。
【０１０５】
また、検者は、顎受け台１２の顎受け１２ａ及び額当て１２ｂの位置調整と、操作レバー１５による照明系１８及び観察系１９の位置調整とを行うことにより、被検者の被検眼Ｅと照明系１８及び観察系１９との位置関係を調整する（ステップＳ２）。なお、ステップＳ１とステップＳ２との順番は前後してもよい。これにより、照明系１８から出射された細隙光Ｌ１が被検眼Ｅに入射し、この入射に応じて被検眼Ｅから出射した反射光Ｌ２がミラー２５を経て観察系１９に入射する（ステップＳ３）。
【０１０６】
観察系１９に入射した反射光Ｌ２の一部は、対物レンズ４１、変倍光学系４２、絞り４３、バリアフィルタ４４、ビームスプリッタ４５、リレーレンズ５１、及びミラー５２を経て撮像素子５３の撮像面に入射し、この撮像素子５３により撮像される。これにより、撮像素子５３から制御部２０に対して被検眼Ｅの観察像２７の撮像画像データが出力され、制御部２０の制御の下、この撮像画像データが表示部６２に表示される。
【０１０７】
また、観察系１９に入射した反射光Ｌ２の一部は、対物レンズ４１、変倍光学系４２、絞り４３、バリアフィルタ４４、ビームスプリッタ４５、及びリレーレンズ４６を経てプリズム４７に入射し、このプリズム４７により結像位置Ｐで結像される。これにより、観察視野領域Ｒ内に観察像２７が表示される（ステップＳ４）。
【０１０８】
一方、制御部２０の設定情報取得部８０は、既述の図４に示した操作部６８の各部の操作状態に基づき、観察像２７の観察条件に係る照明系１８及び観察系１９の設定情報８３を取得し、取得した設定情報８３を設定情報表示制御部８１へ出力する（ステップＳ５、本発明の設定情報取得工程に相当）。
【０１０９】
設定情報表示制御部８１から設定情報８３の入力を受けた設定情報表示制御部８１は、この設定情報８３に基づき、マイクロディスプレイ５５に設定情報８３を表示させる（ステップＳ６、本発明の設定情報表示工程に相当）。これにより、結像位置Ｐに結像される観察像２７に隣接する位置でマイクロディスプレイ５５により設定情報８３が表示されるため、観察視野領域Ｒ内において観察像２７に対し設定情報８３が合成表示（並列表示）される。その結果、検者は、照明系１８及び観察系１９の設定情報８３、すなわち細隙灯顕微鏡１０の現在の観察条件を確認することができる。
【０１１０】
具体的に、検者は観察視野領域Ｒ内に表示される設定情報８３に基づき、観察像２７の観察条件として、照明絞り３３及び視野絞り３５の絞り径、細隙形成部３６の一対のスリット刃の間隔、細隙光Ｌ１の光路内に挿入されている光学フィルタ３８の種類、反射光Ｌ２の光路に対するバリアフィルタ４４の挿脱、及び観察像２７の倍率等を確認できる。
【０１１１】
また、検者は、被検眼Ｅの角膜内皮細胞観察以外の観察を行う場合には、設定情報８３内のスケール８５Ａに基づき、観察像２７内の観察対象物（例えば血管、水晶体、及び黄斑等）の大きさを判別できる。一方、検者は、被検眼Ｅの角膜内皮細胞観察を行う場合には、設定情報８３中のスケール８５Ｂに基づき、観察像２７内の角膜内皮細胞Ｓの大きさ及び密度を判別できる。これにより、検者は、観察像２７の観察条件として、観察像２７の倍率を間接的に確認することができる。
【０１１２】
検者は、細隙灯顕微鏡１０による観察像２７の観察条件を変更する場合、すなわち照明系１８及び観察系１９の少なくとも一部の設定（例えば観察像２７の像倍率、光学フィルタ３８の種類、及び各絞り３３，３５の絞り径等）を変更する場合、操作部６８の中の対応するものに対して設定変更操作を行う（ステップＳ７でＹＥＳ）。これにより、この設定変更操作に対応した照明系１８及び観察系１９の設定が変更されることで、観察像２７の観察条件が変更される（ステップＳ８）、そして、この設定変更に伴い、設定情報取得部８０が取得する設定情報８３が更新され、その結果、マイクロディスプレイ５５が表示する設定情報８３も更新される（ステップＳ５，Ｓ６）。
【０１１３】
以下、被検眼Ｅの観察が終了するまで、上記のステップＳ３以降の処理が繰り返し実行される（ステップＳ９）。
【０１１４】
［本実施形態の効果］
以上のように本実施形態の細隙灯顕微鏡１０は、鏡筒本体２４内に設けたマイクロディスプレイ５５にて設定情報８３を表示させることで、観察視野領域Ｒ内において観察像２７に対し設定情報８３を合成表示（並列表示）させることができる。これにより、検者は接眼部２４ａから観察眼Ｅｏを離すことなく、観察像２７を観察しながら、この観察像２７の観察条件に係る照明系１８及び観察系１９の設定情報８３を同時に確認できる。このため、検者は、観察視野領域Ｒ内に表示されている観察像２７から観察条件を判断する必要がなくなる。その結果、操作性を低下させることなく検者が観察像２７の観察条件を正確に確認することができる。
【０１１５】
また、本実施形態では、マイクロディスプレイ５５を観察像２７の結像位置Ｐ（図３参照）から光軸Ｏ２に対して垂直方向にシフトした位置、すなわち空きスペースに設けることにより、鏡筒本体２４（細隙灯顕微鏡１０）の大型化を防止することができ、さらに後述の図９に示す別実施形態２よりも部品数の減少及び配置スペースの減少が図れる。さらにまた、後述の図８に示す別実施形態１のようにマイクロディスプレイ５５を光軸Ｏ２上に配置していないので、観察視野領域Ｒ内において観察される観察像２７の画質（明るさ等）の低下が防止される。その結果、部品数の減少及び配置スペースの減少と、観察像２７の画質向上とを両立することができる。
【０１１６】
［マイクロディスプレイ（設定情報表示部）の別実施形態１］
図８は、本発明の設定情報表示部の別実施形態１を説明するための説明図である。上記実施形態では、結像位置Ｐから光軸Ｏ２に対して垂直方向にシフトした位置にマイクロディスプレイ５５を配置しているが、図８に示すように、別実施形態１では、マイクロディスプレイ５５Ａを結像位置Ｐで且つ光軸Ｏ２上（本発明の出射光の光軸上に相当）に配置している。なお、マイクロディスプレイ５５Ａ以外の構成は上記実施形態と同じあるため、上記実施形態と機能又は構成上同一のものについては、同一符号を付してその説明は省略する。
【０１１７】
マイクロディスプレイ５５Ａは、例えば透過型液晶ディスプレイ等の反射光Ｌ２を透過する透過型のディスプレイである点を除けば、上記実施形態のマイクロディスプレイ５５と基本的に同じである。このため、上記実施形態と同様にマイクロディスプレイ５５Ａが、観察視野領域Ｒ内に既述の図５及び図６に示した設定情報８３を表示することにより、上記実施形態と同様の効果が得られる。
【０１１８】
また、マイクロディスプレイ５５Ａによる設定情報８３の表示位置を制御することで、観察視野領域Ｒ内において観察像２７に隣接する位置に設定情報８３を合成表示（並列表示）させるだけでなく、観察像２７上に設定情報８３を合成表示（重畳表示）することができる。さらにマイクロディスプレイ５５Ａについても、鏡筒本体２４（細隙灯顕微鏡１０）内の空きスペースに設けられるため、鏡筒本体２４の大型化を防止することができ、その結果、後述の図９に示す別実施形態２よりも部品数の減少及び配置スペースの減少が図れる。
【０１１９】
なお、図８ではマイクロディスプレイ５５Ａが結像位置Ｐ上に配置されているが、観察視野領域Ｒ内において設定情報８３を視認可能な光軸Ｏ２上の位置であれば、マイクロディスプレイ５５Ａの位置は特に限定はされない。
【０１２０】
［マイクロディスプレイ（設定情報表示部）の別実施形態２］
図９は、本発明の設定情報表示部の別実施形態２を説明するための説明図である。上記実施形態では、結像位置Ｐの近傍にマイクロディスプレイ５５を配置しているが、図９に示すように、観察系１９の鏡筒本体２４内に画像出射光学系９０を設けてもよい。なお、マイクロディスプレイ５５の代わりに画像出射光学系９０を備える点を除けば、上記実施形態と基本的には同じ構成であるため、上記実施形態と機能又は構成上同一のものについては、同一符号を付してその説明は省略する。
【０１２１】
画像出射光学系９０は、マイクロディスプレイ５５Ｂと、レンズ９１と、ミラー９２とを備える。マイクロディスプレイ５５Ｂは、上記実施形態のマイクロディスプレイ５５と基本的に同じものであり、設定情報８３の画像（像光）をレンズ９１に向けて出射する。
【０１２２】
レンズ９１は、ミラー９２、リレーレンズ４６、及びプリズム４７と共に本発明の案内光学系を構成する。レンズ９１は、マイクロディスプレイ５５Ｂから入射した設定情報８３の画像を集光してミラー９２に向けて出射する。
【０１２３】
ミラー９２は、例えば、ビームスプリッタ４５とリレーレンズ４６との間の位置で光軸Ｏ２上に配置されたハーフミラー又はビームスプリッタである。このミラー９２は、ビームスプリッタ４５から入射した反射光Ｌ２の少なくとも一部をそのまま透過してリレーレンズ４６に向けて出射すると共に、レンズ９１から入射した設定情報８３の画像の少なくとも一部をリレーレンズ４６に向けて反射する。これにより、設定情報８３の画像が反射光Ｌ２に合流し、リレーレンズ４６を経てプリズム４７により結像位置Ｐで結像される。
【０１２４】
このように反射光Ｌ２と設定情報８３の画像とがプリズム４７によって結像位置Ｐで結像されることで、上記実施形態と同様に、観察視野領域Ｒ内において既述の図５及び図６に示した設定情報８３を表示できるため、上記実施形態と同様の効果が得られる。また、マイクロディスプレイ５５Ｂによる設定情報８３の画像の出射位置を制御することで、既述の図８に示した別実施形態１と同様に、観察視野領域Ｒ内において観察像２７に隣接する位置に設定情報８３を合成表示（並列表示）させるだけでなく、観察像２７上に設定情報８３を合成表示（重畳表示）することができる。
【０１２５】
［その他］
上記実施形態では、観察像２７の観察条件に係る照明系１８及び観察系１９の双方の設定情報８３を、マイクロディスプレイ５５により観察視野領域Ｒ内に表示させているが、照明系１８及び観察系１９のいずれか一方のみの設定情報８３を観察視野領域Ｒ内に表示させてもよい。
【０１２６】
上記各実施形態において観察視野領域Ｒ内に表示させる設定情報８３は、図５及び図６に例示したものに限定されず、観察像２７の観察条件に係る照明系１８及び観察系１９の少なくとも一方の各種設定情報が含まれる。この各種設定情報としては、照明系１８で使用される光源の種類（蛍光観察等の照明方法の種類を含む）、照明系１８による被検眼Ｅに対する細隙光Ｌ１の入射角度、被検眼Ｅに対する観察系１９の向き、観察系１９内の絞り４３の絞り径、及び被検眼Ｅの左右眼を示す情報などが例として挙げられる。
【０１２７】
上記各実施形態では、本発明の眼科用観察装置として細隙灯顕微鏡１０を例に挙げて説明したが、例えば、手術用顕微鏡、眼底カメラ、ＯＣＴ（Optical Coherene Tomography）、ＳＬＯ（Scanning Laser Ophthalmoscope）、眼軸長計、スリットランプ、レフラクトメータ、ケラトメータ、トノメータ、スペキュラマイクロスコープ、及びこれらの複合機などにも本発明を適用することができる。すなわち、本発明は、接眼レンズ４８を通して被検眼Ｅの観察像２７を複数の観察条件で観察可能な各種の眼科用観察装置に適用できる。
【符号の説明】
【０１２８】
１０…細隙灯顕微鏡，１８…照明光，１９…観察系，２０…制御部，２４ａ…接眼部，２７…観察像，２８…観察倍率操作ノブ，３３…照明絞り，３５…視野絞り，３６…細隙形成部，３８…光学フィルタ，４２…変倍光学系，４４…バリアフィルタ，４８…接眼レンズ，５５，５５Ａ，５５Ｂ…マイクロディスプレイ，６８…操作部，８０…設定情報取得部，８１…設定情報表示制御部，８３…設定情報，８５Ａ、８５Ｂ…スケール
【図１】
2018143433.tif 000003
【図２】
2018143433.tif 000004
【図３】
2018143433.tif 000005
【図４】
2018143433.tif 000006
【図５】
2018143433.tif 000007
【図６】
2018143433.tif 000008
【図７】
2018143433.tif 000009
【図８】
2018143433.tif 000010
【図９】
2018143433.tif 000011